(57)【要約】【課題】集塵袋の未装着による誤使用を防止しつつ集塵袋の着脱容易化を図る。【解決手段】集塵袋１３と、集塵室３上方を回動自在に覆う蓋体１０とを備え、集塵室３に集塵袋１３が装着されていないときに蓋体１０が閉状態とならないよう防止する突起部１６Ｂと、集塵室３に集塵袋１３が装着されていることを検知する検知部１６Ａとを有する集塵袋検知体１６を蓋体１０に設け、集塵袋１３が装着されていることを検知すると、突起部１６Ｂは蓋体１０が閉状態となる位置に移動すると共に、吸気口２上方にタイト体６のパッキンＢ１８の集塵室３側への突出代（Ｌ１）よりも小さい突出代（Ｌ２）を有した突出体１９を有した電気掃除機とした。これにより、集塵袋１３の未装着では蓋体１０が閉まらず誤使用を防止でき、突出体１９により集塵袋１３の口枠１２の挿入時の案内及び前方向の位置決めとなり、集塵袋１３の着脱が一動作で行え、その着脱が容易となる。【選択図】図１
2008073405.tif 000002
【特許請求の範囲】
【請求項１】
吸気口を有する集塵室と塵埃吸引用の電動送風機を収納する電動送風機収納室とを有する掃除機本体と、前記集塵室内に装着され、当該集塵室の前記吸気口に対応する吸気孔を有する口枠付きの集塵袋と、前記集塵室上方を開閉自在に覆う蓋体と、前記吸気口に配置され集塵室側に突出し前記蓋体を閉状態にしたときに前記集塵袋の口枠と当接して吸引風のエアータイトを行う軟質材で形成されたタイト体と、前記タイト体上方に配置され前記タイト体の口枠とのタイト面と略同一または突出代を有した突出体とを備え、前記蓋体には集塵袋検知体を設け、この集塵袋検知体は前記集塵室に集塵袋が装着されていないときに蓋体が閉状態とならないように防止する突起部と前記集塵室に集塵袋が装着されていることを検知する検知部とを有していて、前記検知部が前記集塵室に集塵袋が装着されていることを検知すると、前記突起部は前記蓋体が閉状態となる位置に移動すると共に、集塵室に集塵袋を挿入する際に前記突出体により口枠の集塵室前方への位置規制を行う電気掃除機。
【請求項２】
突出体は、蓋体が閉状態での集塵袋検知体配置位置と左右方向で配置位置をずらせて当接しない構成とした請求項１記載の電気掃除機。
【請求項３】
突出体は、二重構成とし、内側を剛性のある材質、外側を軟質の材質で構成した請求項１または２に記載の電気掃除機。
【請求項４】
突出体は、掃除機本体と蓋体とのエアータイトを行うリップを有するバンパーと一体に形成され、その内側に剛性のある材質を配置した二重構成とした請求項１または２記載の電気掃除機。
【請求項５】
突出体は、二重構成の間に空間部を有した請求項３または４に記載の電気掃除機。
【請求項６】
突出体は、上下方向の上部から略中央部にかけて集塵室側に徐々に突出する傾斜面Ａと、略中央部から下部にかけて集塵室側から徐々に引っ込むような傾斜面Ｂを形成した請求項１〜５のいずれか１項に記載の電気掃除機。
【発明の詳細な説明】
【技術分野】
【０００１】
本発明は集塵室に対する集塵袋の装着、取出し操作を容易にする電気掃除機に関するものである。
【背景技術】
【０００２】
従来の電気掃除機は、前部に吸気口を有する掃除機本体で、集塵室、電動送風機を内蔵する電動送風機収納室を形成している。前記集塵室には、集塵室の底面にリブを設けたものや、口枠の左右を固定するために、集塵室底面から集塵室の略開放部付近の高さまで箱状のリブを設け、それらにより集塵袋の口枠を集塵室に仮固定を行っている。次に口枠の上端部分を集塵室に回動自在に固定された口枠押えにより口枠を固定しているものであった（例えば、特許文献１参照）。そしてこのような電気掃除機には集塵室に集塵袋を未装着の状態で蓋を閉じて使用しようとしても蓋が閉じられないようにして誤使用を防止する機能を付加したものが見られる。
【特許文献１】特許第３４２４１５４号公報
【発明の開示】
【発明が解決しようとする課題】
【０００３】
しかしながら、上記構成では、上記のような口枠押さえを有するものは、集塵袋の着脱には口枠押えを回動させた後に口枠を挿入するという二動作が必要で、ワンタッチで集塵袋の着脱が出来ないというものであった。
【０００４】
また、口枠押さえが口枠の上部に位置するものにあっては、集塵袋を挿入する際に口枠押えが邪魔となり、上方より集塵袋の位置を決める位置決めリブおよび、吸気口が口枠押さえにより隠れ、目視しにくいために使用者は、感覚により集塵袋を取りつけていた。そのため、誤挿入が発生し、吸気孔と吸気口がずれそれによりゴミ漏れが起こり、電動送風機の故障、電気掃除機の故障の原因となっていた。また、ゴミが一杯になった、集塵袋を取り出す際に、吸気孔に口枠押さえが引っかかり、取り出しにくいだけでなく、集塵袋内のゴミがこぼれてしまうこともあり、使用者に不信感を与えるものであり、集塵室にこぼれたゴミが電動送風機に直接侵入しそれにより電気掃除機の故障につながるものであった。
【０００５】
本発明は上記課題を解決するもので、集塵袋の未装着による誤使用を防止しつつ集塵袋の着脱容易化を図って使い勝手を向上した電気掃除機を提供することを目的とする。
【課題を解決するための手段】
【０００６】
上記従来の課題を解決するために本発明は、吸気口を有する集塵室と塵埃吸引用の電動送風機を収納する電動送風機収納室とを有する掃除機本体と、前記集塵室内に装着され、当該集塵室の前記吸気口に対応する吸気孔を有する口枠付きの集塵袋と、前記集塵室上方を開閉自在に覆う蓋体と、前記吸気口に配置され集塵室側に突出し前記蓋体を閉状態にしたときに前記集塵袋の口枠と当接して吸引風のエアータイトを行う軟質材で形成されたタイト体と、前記タイト体上方に配置され前記タイト体の口枠とのタイト面と略同一または突出代を有した突出体とを備え、前記蓋体には集塵袋検知体を設け、この集塵袋検知体は前記集塵室に集塵袋が装着されていないときに蓋体が閉状態とならないように防止する突起部と前記集塵室に集塵袋が装着されていることを検知する検知部とを有していて、前記検知部が前記集塵室に集塵袋が装着されていることを検知すると、前記突起部は前記蓋体が閉状態となる位置に移動すると共に、集塵室に集塵袋を挿入する際に前記突出体により口枠の集塵室前方への位置規制を行う電気掃除機とした。
【０００７】
これにより、集塵袋を装着していないと蓋体を閉じられないので集塵袋未装着による誤使用を防止できると共に、集塵袋を装着する際には口枠を吸気口に対応させて集塵室内に装着するという一動作でよく、また集塵袋を取り出す際には蓋体を開いた後は口枠を持ってこれを引き出すだけという一動作で済み、集塵袋の着脱が容易に行え、かつ口枠が吸気口に配置したタイト体への突っかかりを防止するとともに口枠のタイト体への噛み込みを防止してゴミこぼれの発生を防止する。
【発明の効果】
【０００８】
本発明によれば、集塵袋の未装着による誤使用を防止しつつ集塵袋の着脱が容易に行え、その使い勝手を向上した電気掃除機を提供できる。
【発明を実施するための最良の形態】
【０００９】
第１の発明は、吸気口を有する集塵室と塵埃吸引用の電動送風機を収納する電動送風機収納室とを有する掃除機本体と、前記集塵室内に装着され、当該集塵室の前記吸気口に対応する吸気孔を有する口枠付きの集塵袋と、前記集塵室上方を開閉自在に覆う蓋体と、前記吸気口に配置され集塵室側に突出し前記蓋体を閉状態にしたときに前記集塵袋の口枠と当接して吸引風のエアータイトを行う軟質材で形成されたタイト体と、前記タイト体上方に配置され前記タイト体の口枠とのタイト面と略同一または突出代を有した突出体とを備え、前記蓋体には集塵袋検知体を設け、この集塵袋検知体は前記集塵室に集塵袋が装着されていないときに蓋体が閉状態とならないように防止する突起部と前記集塵室に集塵袋が装着されていることを検知する検知部とを有していて、前記検知部が前記集塵室に集塵袋が装着されていることを検知すると、前記突起部は前記蓋体が閉状態となる位置に移動すると共に、集塵室に集塵袋を挿入する際に前記突出体により口枠の集塵室前方への位置規制を行う電気掃除機とした。
【００１０】
これにより、集塵袋を装着していないと蓋体を閉じられないので集塵袋未装着による誤使用を防止できると共に、集塵袋を装着する際には口枠を吸気口に対応させて集塵室内に装着するという一動作でよく、また集塵袋を取り出す際には蓋体を開いた後は口枠を持ってこれを引き出すだけという一動作で済み、集塵袋の着脱が容易に行え、かつ口枠が吸気口に配置したタイト体への突っかかりを防止するとともに口枠のタイト体への噛み込みをを防止してゴミこぼれの発生を防止する。
【００１１】
第２の発明は、第１の発明の突出体が、蓋体が閉状態での集塵袋検知体配置位置と左右方向で配置位置をずらせて当接しない構成としてあり、蓋体が閉状態で突出体と集塵袋検知体が干渉することなく、蓋体が確実に閉状態となり、省スペースで前記第１の発明と同様の効果が期待できる。
【００１２】
第３の発明は、第１または第２の発明の突出体を、二重構成とし、内側を剛性のある材質、外側を軟質の材質で構成してあり、外側に配設した軟質材料により、挿入時の口枠の位置規制を確実に行うとともに軟質材料が変形することにより、突出体による位置規制で口枠とタイト体のエアータイトの阻害防止が行えるものである。
【００１３】
第４の発明は、第１または第２の発明の突出体を、掃除機本体と蓋体とのエアータイトを行うリップを有するバンパーと一体に形成され、その内側に剛性のある材質を配置した二重構成としており、突出体がバンパーと一体に形成されていることにより、部品点数が減り、安価に、かつ組立性が容易であり、前記第３の発明と同様の効果が期待できる。
【００１４】
第５の発明は、第３または第４の発明の突出体が、二重構成の間に空間部を有してあり、より口芯がタイト体に噛み込み難いだけの集塵室への突出代を確保しながら、軟質材料の変形とともに空間部へのたわみとにより、突出体による位置規制で口枠とタイト体のエアータイトの阻害防止が充分に行えるものである。
【００１５】
第６の発明は、第１〜第５のいずれか１つの発明の突出体が、上下方向の上部から略中央部にかけて集塵室側に徐々に突出する傾斜面Ａと、略中央部から下部にかけて集塵室側から徐々に引っ込むような傾斜面Ｂを形成したもので、集塵袋を挿入する時に前記傾斜面Ａが口枠の集塵室への案内となり、集塵室への集塵袋の挿入がさらに容易になるとともに、集塵袋を集塵室から取り外す時に前記傾斜面Ｂが口枠の取り外しの案内となり、集塵室からの集塵袋の取り外しがさらに容易になり、集塵袋の着脱がさらに容易になるものである。
【００１６】
以下、本発明の実施の形態について、図面を参照しながら説明する。なお、本実施の形態によって本発明が限定されるものではない。
【００１７】
（実施の形態１）
本発明の第１の実施の形態について、図１〜図９を用いて説明する。図１〜４において、１は前方に吸気口２を有する集塵室３と後方に電動送風機（図示しない）を有する電動送風機室（図示しない）を具備した掃除機本体で、吸気口２部には掃除機本体１とホース４の接続パイプ５とのエアータイト用のタイト体６を具備したものである。また集塵室３上方は開放状態となっており、開放部上端全周にパッキンＡ７を有し、掃除機本体１の前側部に配置され軟質材で構成した緩衝体８を有するバンパー９を配置している。１０は掃除機本体１上部にその後方部を支点として回動自在に設けた蓋体で、集塵室３の上方開口部を覆うものである。この蓋体１０は、パッキンＡ７と平面が略同形状で蓋体１０が閉状態となった時パッキンＡ７と圧接しエアータイトを行うタイトリブ１１を有している。集塵室３内には口枠１２を有した集塵袋１３が着脱自在に装着してある。この集塵袋１３は、口枠１２の吸気孔１２Ａを集塵室３の吸気口２に対向させつつ、当該集塵室３の吸気口２左右に位置するリブ等からなる位置決め部１４に差し込んでいき、その口枠１２下端を集塵室３底面で口枠１２の前後位置を決めるリブ等の補助位置決め部１５に嵌合させて装着してあり、位置決め部１４と補助位置決め部１５とで口枠１２の位置決めを行っている。なお、上記左右の位置決め部１４同志間の上方には従来例で説明したような口枠押さえはなく開放状態としてある。
【００１８】
１６は前記蓋体１０の前方内面に設けた集塵袋検知体で、図１、５に示すように蓋体１０内面に設けたリブを利用して回動自在に取付けてある。この集塵袋検知体１６は回動支持部を中心として後方に検知部１６Ａを、前方に突起部１６Ｂを有するもので、これら両者は本実施の形態では一体成形してある。そして、前記集塵袋検知体１６は、蓋体１０が閉状態とならない位置に突起部１６Ｂを構成し、蓋体１０が閉状態となるにつれ、口枠１２に当接される位置に検知部１６Ａを設けた構成としてある。加えて上記集塵袋検知体１６はバネ体（弾性体）１７により突起部１６Ｂが、蓋体１０が閉状態とならないようにする位置、この実施の形態ではタイトリブ１１の外に突出する位置に常時附勢して設けてある。また、上記集塵袋検知体１６はその検知部１６Ａの前記口枠１２と当接する部分であって、口枠１２係合する係合部１６Ｃが設けてあり、集塵室３に口枠１２が取付けられているときに前記係合部１６Ｃが口枠１２と係合し、前記突起部１６Ｂがタイトリブ１１集塵室３内に位置するとともに前記バネ体１７の附勢力によってを集塵室３の吸気口２側に附勢して前記タイト体６の集塵室３側に突出した最外郭部に形成したパッキンＢ１８に口枠１２が押付けられてこれに密着させる構成としてある。
【００１９】
図６、７に示すように１９は吸気口上方に設けられ、タイト体６のパッキンＢ１８の集塵室３側への突出代（Ｌ１）よりも少し小さい突出代（Ｌ２）を有した突出体であり、その上方から略中央部にかけて集塵室３側に突出する傾斜面Ａ１９Ａと、その略中央部から下方にかけて引っ込んだ傾斜面Ｂ１９Ｂを有している。前記突出部１９は、その両側面に形成した爪１９Ｃが掃除機本体１の吸気口３上方に形成した保持リブ２０に形成した穴部２０Ａと係合して掃除機本体１と着脱自在に保持されている。
【００２０】
また、突出部１９と集塵袋検知体１６は蓋体１０を閉じたときに干渉しないように横方向で位置をずらして配置している。
【００２１】
以上のように構成された電気掃除機について、以下その動作、作用を説明する。
【００２２】
図５のように、蓋体１０が開放状態の時、集塵袋検知体１６はバネ体１７により突起部１６Ｂがタイトリブ１１の外に突出する位置に附勢されている。
【００２３】
この状態で集塵袋１３を集塵室３内にセットするにはその口枠１２を何らの操作を要することなく突出体１９の傾斜面Ａ１９Ａ表面を滑らせてそのまま位置決め部１４に嵌合していけばよい。そしてこの状態、すなわち、集塵室３内の所定の位置に口枠１２がセットされ集塵袋１３が挿入されている状態で、蓋体１０を閉状態となるように回動させると、図８（ａ）のように集塵袋検知体１６の検知部１６Ａが口枠１２の上端部に当接をする。さらに閉状態に回動させると図８（ｂ）のように、検知部１６Ａが上方に回動をし始め同時に突起部１６Ｂがタイトリブ１１から遠ざかるように集塵室３側に回動を行う。最終的に図３のように蓋体１０が所定の位置まで回動して閉状態となり、タイトリブ１１とパッキンＡ７が当接しエアータイトが行える。そして口枠１２が吸気口２に配置したタイト体６のパッキンＢ１８に密着される。
【００２４】
次に図９のように、集塵室３に口枠１２が挿入されていないときは、蓋体１０を閉状態に回動させても、集塵袋検知体１６の突起部１６Ｂがタイトリブ１１の外に突出したままのため、タイトリブ１１とパッキンＡ７の間に突起部１６Ｂが挟まり、蓋体１０が完全に閉まらない状態となるものである。
【００２５】
また、集塵袋１３を集塵室３から取り外すときは蓋体１０を開けるだけでよく、これにより集塵袋検知体１６がバネ体１７の附勢力によって回動しその突起部１６Ｂがタイトリブ１１の外方向に移動するとともに検知部１６Ａの係合部１６Ｃが口枠１２から外れる。したがって口枠１２を持ってこれまた何らの操作をすることなく、突出体１９の傾斜面Ｂ１９Ｂによって口枠１２が突っかかることなくそのままこれを抜き出せばよい。
【００２６】
このように、集塵袋検知体１６を蓋体１０に設け、使用者が誤って集塵袋１３を集塵室３にセットしない状態で使用してしまうことを防止するとともに、集塵袋１３の着脱は一動作で行え、かつ突起体１９により、口枠１２がタイト体６に突っかかることがなく口枠１２の挿入性が向上し、またタイト体６パッキンＢ１８からのゴミ漏れが防止できるとともに傾斜面Ａ１９Ａと傾斜面１９Ｂが口枠１２挿入、取り外し時の案内となり、口枠１２の着脱性がさらに向上するものである。また、上記集塵袋１３を装着する際に、上方より吸気口３を容易に目視でき、取付けが行えるために安定した状態で取付けが行える。そのため集塵袋１３の誤挿入を防ぐことができる。また、集塵袋１３を取り出す際に、口枠１２、吸気孔１２Ａに引っ掛るものもなく、集塵袋３内のゴミがこぼれる事がない。このように誤挿入、取出し時に発生するゴミ漏れによる電気掃除機の故障も防止できるものである。
【００２７】
また、集塵袋検知体１６は、蓋体１０が閉状態となるにつれ集塵袋の口枠１２に当接して検知部１６Ａが移動し、その移動によって突起部１６Ｂが蓋体１０閉状態可能な位置まで移動する構成としてあるから集塵袋検知体１６を移動させるための駆動源を特別に必要としない。
【００２８】
加えて上記集塵袋検知体１６は、突出体１９と横方向で配置位置をずらしているため、狭いスペースに設置することができ、小型化が可能となる。
【００２９】
更に上記集塵袋検知体１６は、バネ体１７によって集塵袋１３未装着時には突起部１６Ｂが蓋体１０閉状態とできない所に位置するように附勢した構成としてあって、常時蓋体１０を閉状態とできない所に位置しているので、突起部１６Ｂが不用意に蓋体１０閉状態とすることが出来るところに位置して集塵袋１３未装着のまま蓋体１０が閉じられるという事態を防止できる。
【００３０】
（実施の形態２）
本発明の第２の実施の形態について、図１、図１０を用いて説明する。
【００３１】
なお、第１の実施の形態と同一構成部品については同一符号を付して、その説明を省略する。
【００３２】
図１０において突出体１９はパッキンＡ７を有する軟質体で構成されたバンパー９で表面１９Ｄを形成するとともに保持部１９Ｅは樹脂などの硬質体でバンパー９と一体に形成し、かつ表面１９Ｄと保持部１９Ｅの間に空間部１９Ｆを有している。
【００３３】
また、前記突出体１９の表面１９Ｄは吸気口２に配置されたタイト体６のパッキンＢ１８の集塵室３側への突出代（Ｌ１）よりも少し大きい突出代（Ｌ３）を有して配置されている。
【００３４】
以上のように構成された電気掃除機について、以下その動作、作用を説明する。
【００３５】
突出体１９の表面１９Ｄは吸気口２に配置されたタイト体６のパッキンＢ１８の集塵室３側への突出代（Ｌ１）よりも少し大きい突出代（Ｌ３）を有して配置されていることにより、口枠１２を挿入するときに突出体１９の表面１９Ｄを案内として位置決め部１４に挿入するため、タイト体６のパッキンＢ１８よりも集塵室３側に位置することになり、口枠１２がパッキンＢ１８に突っかかることなく確実に補助位置決め部１５に挿入できる。
【００３６】
また、突出体１９の表面１９Ｄが軟質体で形成されているとともに空間部１９Ｆを有していることにより、蓋体１０を閉じて集塵袋検知体１６の係合部１６Ｃにより口枠１２が吸気口３側に移動したときに表面１９Ｄの変形（弾性）と空間部１９Ｆへの変形により口枠１２の移動量を吸収して、口枠１２とパッキンＢ１８との密着が確実に行え、エアータイトが出来、ゴミ漏れを防止するものである。
【００３７】
また、突出体１９の表面１９Ｄにはスキン層を形成しているため、口枠１２との滑りが良く、挿入性、取外し性が向上するものである。
【００３８】
なお、上記実施の形態では、口枠１２を集塵室３の吸気口２に配置したタイト体６のパッキンＢ１８に密着させるために集塵袋検知体１６をバネ体１７で附勢すると共にその検知部１６Ａに係合部１６Ｃを設けた場合で説明したが、集塵袋検知体１６にこのような機能を持たせることなく別途口枠１２保持用のリブ等を蓋体１０に設けるなどしても良いものであり、本発明の趣旨を満足するものであればどのような構成としても良いものである。
【産業上の利用可能性】
【００３９】
以上のように、本発明にかかる電気掃除機は、集塵袋の未装着のままの誤使用を防止できると共に、この集塵袋の着脱も容易に行え、使い勝手が大きく向上し、特に家庭、業務用等の電気掃除機に有用である。
【図面の簡単な説明】
【００４０】
【図１】本発明の実施の形態１における電気掃除機の要部断面図（図３上の断面Ａ−Ａ）
【図２】同、電気掃除機の要部矢視図（図１上のＢ矢視）
【図３】同、電気掃除機の要部断面矢視図
【図４】同、電気掃除機の全体斜視図
【図５】同、電気掃除機の要部断面図
【図６】同、集塵袋を外した状態の電気掃除機の要部断面図
【図７】同、電気掃除機の要部分解斜視図
【図８】（ａ）同、電気掃除機の要部断面図（ｂ）同、電気掃除機の要部断面図
【図９】同、電気掃除機の要部断面図
【図１０】本発明の実施の形態２における集塵袋を外した状態の電気掃除機の要部断面図
【符号の説明】
【００４１】
３      集塵室
６      タイト体
７      パッキンＡ
９      バンパー
１０    蓋体
１１    タイトリブ
１２    口枠
１２Ａ  吸気孔
１３    集塵袋
１６    集塵袋検知体
１６Ａ  検知部
１６Ｂ  突起部
１６Ｃ  係合部
１８    パッキンＢ
１９    突出体
１９Ａ  傾斜面Ａ
１９Ｂ  傾斜面Ｂ
１９Ｃ  爪
１９Ｄ  表面
１９Ｅ  保持部
１９Ｆ  空間部
２０    保持リブ
２０Ａ  穴部
【図１】
2008073405.tif 000003
【図２】
2008073405.tif 000004
【図３】
2008073405.tif 000005
【図４】
2008073405.tif 000006
【図５】
2008073405.tif 000007
【図６】
2008073405.tif 000008
【図７】
2008073405.tif 000009
【図８】
2008073405.tif 000010
【図９】
2008073405.tif 000011
【図１０】
2008073405.tif 000012